(57)【特許請求の範囲】
【請求項１】
一端に導入口を有すると共に他端に斜め上方立ち上り部を有する濾過槽を設け、前記濾過槽の側壁に濾過液流出口を設けると共に、前記濾過槽内に、スクレーパーを適宜間隔置きに取り付けたコンベアを、前記導入口の下から前記斜め上方立上り部上端部にまで延ばし且つ前記濾過液流出口の下を通して配設し、前記コンベアの内側に、該コンベアに沿って湾曲させた仕切板を配置し、前記濾過液流出口の下方の前記仕切板の裏面に内部マグネットプレートを定着して成り、前記内部マグネットプレートの少なくとも前記導入口側端部は斜面状態となるようにし、また、前記仕切板の下端部は上向きに傾斜させたことを特徴とする切削液濾過装置。
【請求項２】
前記導入口の下の濾過槽外底面に外部マグネットプレートを定着した請求項１に記載の切削液濾過装置。
【請求項３】
前記仕切板を濾過槽の全幅に及ばせた請求項１又は２に記載の切削液濾過装置。
【発明の詳細な説明】
【０００１】
【発明の属する技術分野】
本発明は、切削液の濾過装置、より詳細には、マシニングセンター等による金属の切削作業において排出される切粉を含んだ切削液を濾過する装置に関するものである。
【０００２】
【従来の技術】
切削液の濾過装置としては、図２に示すような、ドラムフィルタータイプのものが知られている。これは、一端にマシニングセンターからの切粉を含んだ切削液の導入口５２を形成すると共に、他端に斜め上方立上り部を設けてその先端部に下向きのスラッジ排出口５３を形成した濾過槽５１を設け、濾過槽５１内に、導入口５２の下側からスラッジ排出口５３にまで延びる、スクレーパー５５を適宜間隔置きに取り付けたコンベア５４を配置し、また、濾過槽５１の上方延設部境界付近に、ドラムフィルター５６を回転可能に軸支して成る。ドラムフィルター５６内には、逆洗ノズルが配備される。
【０００３】
この構成の場合、導入口５２から切粉を含んだ切削液が導入されると、比重の大きい切粉等が濾過槽５１の底面に沈殿堆積する。堆積したスラッジ５７は、循環するコンベア５４のスクレーパー５５によって掻き取られ、スクレーパー５５によって濾過槽５１の底面並びに斜め上方立上り部の側面に沿って押送され、スラッジ排出口５３から排出される。また、塗料カス等の浮遊異物を含む切削液は、ドラムフィルター５６表面の濾過布によって濾過され、ドラムフィルター５６内部から排出される。
【０００４】
このような構成の切削液濾過装置においては、沈殿し切れないで浮遊する浮遊異物、及び、復路（上段）のスクレーパー５５等から落下する異物の総てがドラムフィルター５６に集結するため、ドラムフィルター５６にかかる負担が大きく、フィルターの目詰まりや破損等が起こって濾過精度が低下しやすいという問題がある。
【０００５】
また、別の構成の切削液濾過装置として、図３に示すようなマグネットプレートを利用したものがある。これは、上述したドラムフィルタータイプの装置におけるドラムフィルターの代わりに、ダクト５８とマグネットプレート５９を配置したもので、その他の構成は上述したものと変わらない。ダクト５８は濾過槽１の内端部側面に設けられ、マグネットプレート５９は、ダクト５８の下側の外底面に設置される。
【０００６】
このマグネットフィルタータイプの装置においては、導入された切削液からのスラッジがスクレーパー５５によって押送されると共に、浮遊異物が、切削液がダクト５８に流出する前にマグネットプレート５９に吸着されて集まり、スクレーパー５５によって押送されてくるスラッジ５７と一緒になる。
【０００７】
しかるに、このマグネットフィルタータイプの装置においては、切粉の形状等によってスラッジ５７が大きな塊となることがあり、その場合、往路のスクレーパー５５と復路のスクレーパー５５とがすれ違う際に、復路のスクレーパー５５がスラッジ５７の塊に触れてこれを崩し、これが度重なることにより、次第にスラッジ５７の塊が大きくなり、結局排出不能に陥る虞がある。
【０００８】
【発明が解決しようとする課題】
上述したように、従来の切削液濾過装置には種々の問題があったので、本発明はそのような問題のない、即ち、長期に渡って濾過精度が維持され、しかも効率よく切削液の濾過を行ない得る切削液濾過装置を提供することを課題とする。
【０００９】
【課題を解決するための手段】
上記課題を解決するための本発明に係る切削液濾過装置は、一端に導入口を有すると共に他端に斜め上方立ち上り部を有する濾過槽を設け、前記濾過槽の側壁に濾過液流出口を設けると共に、前記濾過槽内に、スクレーパーを適宜間隔置きに取り付けたコンベアを、前記導入口の下から前記斜め上方立上り部上端部にまで延ばし且つ前記濾過液流出口の下を通して配設し、前記コンベアの内側に、該コンベアに沿って湾曲させた仕切板を配置し、前記濾過液流出口の下方の前記仕切板の裏面に内部マグネットプレートを定着して成り、前記内部マグネットプレートの少なくとも前記導入口側端部は斜面状態となるようにし、また、前記仕切板の下端部は上向きに傾斜させたことを特徴とする。
【００１０】
好ましくは、前記導入口の下の濾過槽外底面に外部マグネットプレートを定着し、また、前記仕切板を濾過槽の全幅に及ばせる。
【００１１】
【発明の実施の形態】
本発明の実施の形態を添付図面に依拠して説明する。図１は本発明に係る切削液濾過装置の構成を示す縦断面図で、図中１は濾過槽で、一端部にマシニングセンター等からの切粉を含んだ切削液の導入口２が形成される。濾過槽１の他端には、斜め上方に延びる斜め立上り部３が延設される。斜め立上り部３の先端には、下向きのスラッジ排出口４が形成される。
【００１２】
５は、スクレーパー６を適宜間隔置きに配備したコンベアで、導入口２形成側端部から、斜め立上り部３を経てスラッジ排出口４にまで延びる。
【００１３】
７は、コンベア５の内側に配置される仕切板で、濾過槽１の中間部から斜め立上り部３の上部まで、コンベア５に沿って湾曲して延びる。仕切り板７は、濾過槽１の全幅に及ばせることが好ましい。仕切板７の下端部７ａは、通例若干上向き傾斜させる。
【００１４】
濾過槽１の斜め立上り部３延設部側端部の側面に、ダクト１４に通じる濾過液流出口１３が形成され、濾過液流出口１３の下方の仕切板７の裏面に、内部マグネットプレート１２が定着される。また、好ましくは、導入口２の下の、濾過槽１の外底面に外部マグネットプレート９が、取り付けられる。
【００１５】
内部マグネットプレート１２の両端、あるいは、往路コンベア進行方向前端（図１において右側端）に、切粉の引掛りを防止するための傾斜ガイド１５を設けることもある。勿論、傾斜ガイド１５を設ける代わりに、内部マグネットプレート１２自体の端部を傾斜状態に加工することとしてもよい。
【００１６】
この構成においては、導入口２から流入する切削液中の切粉や樹脂等の異物が濾過槽１の内底面に沈殿堆積し、このスラッジ１０がスクレーパー６によって掻取押送されてスラッジ排出口４から排出される。外部マグネットプレート９を設けた場合は、切粉等の磁性を有するものが、外部マグネットプレート９に吸着されて集まる。
【００１７】
また、仕切板７の上側に流入した異物や、復路のスクレーパー６によってもたらされる異物は、仕切板７上に沈殿堆積する。この仕切板７の上面のスラッジ１１は、復路のスクレーパー６によって掻取押送され、仕切板７の先端７ａから落とされて、濾過槽１の内底面のスラッジ１０と混ざり合う。切粉等の磁性を有する異物は、内部マグネットプレート１２に引き寄せられて、仕切板７上に集められる。濾過液は、濾過液流出口１３からダクト１４へと流出する。
【００１８】
【発明の効果】
本発明は上述したとおりであって、仕切板によって濾過槽が上下に仕切られていることにより、ドラムフィルターを用いなくても、長期に渡って濾過性能が維持され、しかも効率よく且つ低コストにて切削液の濾過を行ない得る効果がある。
【００１９】
また、内部マグネットプレートの端部に切粉が引掛って貯まることが防止され、仕切板の上向き傾斜する端部に遮られて、切粉等が、濾過液流出口側に流入することが極力防止される効果がある。
【図面の簡単な説明】
【図１】本発明に係る切削液濾過装置の構成を示す縦断面図である。
【図２】従来の切削液濾過装置の構成を示す縦断面図である。
【図３】従来の切削液濾過装置の他の構成を示す縦断面図である。
【符号の説明】
１    濾過槽
２    導入口
３    立上り部
４    スラッジ排出口
５    コンベア
６    スクレーパー
７    仕切板
７ａ  下端部
９    外部マグネットプレート
１０    スラッジ
１１    スラッジ
１２    内部マグネットプレート
１３    濾過液流出口
１４    ダクト
１５    傾斜ガイド
【図１】
0003752185.tif 000002
【図２】
0003752185.tif 000003
【図３】
0003752185.tif 000004